(57)【特許請求の範囲】
【請求項１】
生体の画像検査のためにＲＯＩを設定する方法であって、
・  放射性医薬品を被検者に適用して得られた核医学画像を、陽性テンプレートを使って解剖学的標準化する第１の変換を行うことと；
・  前記核医学画像を、陰性テンプレートを使って解剖学的標準化する第２の変換を行うことと；
・  前記第１の変換によって得られる第１の解剖学的標準化画像と、前記陽性テンプレートとの類似度を計算することと；
・  前記第２の変換によって得られる第２の解剖学的標準化画像と、前記陰性テンプレートとの類似度を計算することと；
・  前記ＲＯＩを設定すべく、前記第１の変換及び前記第２の変換のうち、前記計算される類似度が高い変換の逆変換を、ＲＯＩテンプレートに適用することと；
を含み、ここで前記ＲＯＩテンプレートは、前記陽性テンプレートと前記陰性テンプレートとの差分に基づいて作成されたものである、方法。
【請求項２】
生体の画像検査のためにＲＯＩを設定する方法であって、
・  放射性医薬品を被検者に適用して得られた核医学画像を、陽性テンプレートを使って解剖学的標準化する第１の変換を行うことと；
・  前記核医学画像を、陰性テンプレートを使って解剖学的標準化する第２の変換を行うことと；
・  前記第１の変換によって得られる第１の解剖学的標準化画像と、前記陽性テンプレートとの類似度を計算することと；
・  前記第２の変換によって得られる第２の解剖学的標準化画像と、前記陰性テンプレートとの類似度を計算することと；
・  前記第１の解剖学的標準化画像と前記第２の解剖学的標準化画像とのうち、前記計算した類似度が高い方の画像にＲＯＩテンプレートを適用し、前記ＲＯＩを設定することと；
を含み、ここで前記ＲＯＩテンプレートは、前記陽性テンプレートと前記陰性テンプレートとの差分に基づいて作成されたものである、方法。
【請求項３】
・  前記陽性テンプレートは、前記放射性医薬品による核医学画像検査の対象となる疾患を有する複数の被検者の核医学画像から作成されたものであり、
・  前記陰性テンプレートは、前記疾患を有しない複数の被検者の核医学画像から作成されたものである、請求項１または２に記載の方法。
【請求項４】
前記画像検査はアミロイド沈着に関する検査である、請求項１から３のいずれかに記載の方法。
【請求項５】
前記放射性医薬品は、アミロイドイメージング用のものである、請求項１から４のいずれかに記載の方法。
【請求項６】
前記類似度は相互相関係数である、請求項１から５のいずれかに記載の方法。
【請求項７】
システムの処理手段に実行されると、前記システムに、請求項１から６のいずれかに記載の方法を遂行させるように構成されるプログラム命令を備える、コンピュータプログラム。
【請求項８】
処理手段及び記憶手段を備えるシステムであって、前記記憶手段はプログラム命令を格納し、前記プログラム命令は、前記処理手段に実行されると、請求項１から６のいずれかに記載の方法を遂行させるように構成される、システム。
【請求項９】
処理手段及び記憶手段を備えるシステムであって、前記記憶手段はプログラム命令を格納し、前記プログラム命令は、前記処理手段に実行されると、請求項１に記載の方法を遂行させるように構成され、
前記プログラム命令は更に、前記処理手段に実行されると、前記システムに、前記逆変換が適用された前記ＲＯＩテンプレートに基づいて、核医学画像にＲＯＩを設定すると共に、該核医学画像における該設定したＲＯＩの平均ＳＵＶＲを計算して出力させるように構成される、システム。
【請求項１０】
生体の画像検査のためのＲＯＩを決定するために使用するＲＯＩテンプレートを作成する方法であって、前記方法は、
・  核医学画像検査の対象となる疾患を有する複数の被検者の各々につき、放射性医薬品を投与して核医学測定を行って得られた、複数の第１の種類の核医学画像にアクセスすることと、
・  前記複数の第１の種類の核医学画像を、それぞれ解剖学的標準化及び画素値正規化を行った上で加算平均することにより、陽性テンプレートを得ることと；
・  前記疾患を有さない複数の被検者の各々につき、放射性医薬品を投与して核医学測定を行って得られた、複数の第２の種類の核医学画像にアクセスすることと、
・  前記複数の第２の種類の核医学画像を、それぞれ解剖学的標準化及び画素値正規化を行った上で加算平均することにより、陰性テンプレートを得ることと；
・  前記陽性テンプレートから所定の画素値しきい値に基づいて画素を抽出したものと、前記陰性テンプレートから所定の画素値しきい値に基づいて画素を抽出したものとの差分を取ることにより、前記ＲＯＩテンプレートを得ることと、
を含む、方法。
【請求項１１】
システムの処理手段に実行されると、前記システムに、請求項１０に記載の方法を遂行させるように構成されるプログラム命令を備える、コンピュータプログラム。
【請求項１２】
処理手段及び記憶手段を備えるシステムであって、前記記憶手段はプログラム命令を格納し、前記プログラム命令は、前記処理手段に実行されると、請求項１０に記載の方法を遂行させるように構成される、システム。
【発明の詳細な説明】
【技術分野】
【０００１】
本願は、生体の画像検査のためのＲＯＩの設定に関する発明を開示し、例えば、ＲＯＩの設定手法や、ＲＯＩの設定に用いることのできるテンプレートの作成手法について、開示する。
【背景技術】
【０００２】
アミロイドβ蛋白の大脳皮質への集積は、アルツハイマー病に関係があることが判っており、アルツハイマー病の鑑別診断や治療効果判定のために、アミロイド集積の定量評価を行うことが研究されている。
【０００３】
このような研究結果を紹介している非特許文献１は、Adaptiveアトラス（Adaptive atlas）なるものを用いる手法を開示している。Adaptiveアトラスは次のように作られる。アミロイドマーカーとして11C-PiBを使って複数の被検者に対してＰＥＴを施行し、それぞれの被検者からPiB画像（11C-PiBを使って得たＰＥＴ画像）を得る。得られたPiB画像をMRI画像に基づいて解剖学的に標準化した上で、大脳新皮質領域のSUVRの大きさによって２つのグループに分け、一方のグループから陽性アトラス（positive atlas）を、他方のグループから陰性アトラス（negative atlas）を作成しておく。そして、新規の被検者のPiB画像のアミロイド沈着を調べる場合、まずはそのPiB画像のために、陽性アトラスと陰性アトラスとの線形結合によりAdaptiveアトラスを作成する。この線形結合の重み付けを、調査の対象とするPiB画像毎に個別に決定することを特徴とする。非特許文献１は、この個別に決定されたAdaptiveアトラスを用い、対応するPiB画像の解剖学的標準化を行って、既存の脳地図であるAAL parcellationを用いて大脳新皮質領域を抽出し、そのSUVRを計算することを開示している。
【０００４】
非特許文献１は、平均アトラス（Mean atlas）なるものを用いる手法も開示している。この手法は非特許文献２にも詳しく記載されているが、まず、複数の被検者からPiB画像を単に位置合わせして重ね合わせることで、平均アトラスを作成する。そして、調査の対象とするPiB画像をこのアトラスに位置合わせし、既存の脳地図であるAAL parcellationを用いて大脳新皮質領域を抽出し、そのSUVRを計算する。
【非特許文献１】Bourgeat et al. - 2014 - Comparison of MR-less PiB SUVR quantification methods
【非特許文献２】Edison et al. - 2013 - Comparison of MRI based and PET template based approaches in the quantitative analysis of amyloid imaging with PIB-PET
【発明の開示】
【発明が解決しようとする課題】
【０００５】
現在のアミロイド集積の定量評価は、アミロイドβ蛋白に集積する放射性薬剤を用いて、被検者にＰＥＴを施行すると共に、同じ被検者に対してＭＲＩをも施行し、アミロイド沈着の様子を画像化したＰＥＴ画像を、ＭＲＩ画像を用いて解剖学的に標準化し、特定の領域を選択して、その画素値の様子を調べる方法が主流である。
【０００６】
現在は、アミロイド沈着の定量評価を行うことは、臨床研究のレベルでしか行われておらず、一般的な診療としては行われていない。その理由の一つは、アミロイド沈着の定量評価を行うために、ＰＥＴのみならず、ＭＲＩも必要とするためである。なぜなら、上述のように、ＰＥＴ画像の解剖学的標準化や、評価対象領域（ＲＯＩ）の設定のために、ＭＲＩ画像を必要とするからである。ＰＥＴ装置だけでなくＭＲＩ装置を導入することは、多くの診療機関にとって費用や維持の負担が過大である。また、検査を受ける必要のある者にとっても、ＰＥＴ検査に加えてＭＲＩ検査を受けることは、大きな負担となる。これは、ＭＲＩを撮影するためには、比較的長い時間じっとしている必要があり、認知症患者にとっては困難なタスクであるからである。このため、アミロイド沈着の定量評価をＰＥＴ検査のみで行えるようにすることが希求されている。
【０００７】
さらに、アミロイド集積評価のための既存の手法は、アミロイド沈着の様子を調べる領域を抽出するために、AAL parcellationのような既存の脳地図を用いている。しかし、これら既存の脳地図は、脳の解剖学的な構造を良く表現していると考えられるものの、放射性医薬品の集積の様子に基づいて作成された地図ではない。このため、ＰＥＴ検査において解析の対象とする領域（ＲＯＩ）の設定のために既存の脳地図を使用することは、最適とはいえない可能性がある。
【０００８】
更に、既存の手法では、オリジナルのアミロイドイメージング画像を解剖学的標準化した上で（すなわち変形した上で）、ＲＯＩを設定し、ＲＯＩの画素値やＳＵＶＲ等を調べていた。しかし、解剖学的標準化を行えば、画素値が変わることは避けられない。このため、なるべくオリジナルの画像にＲＯＩを設定したいという要望があった。
【課題を解決するための手段】
【０００９】
上記の課題の少なくとも一つを解決すべく、次のような方法を開示する。この方法は、生体の画像検査のためにＲＯＩを設定する方法であって、
・ 放射性医薬品を被検者に適用して得られた核医学画像を、陽性テンプレートを使って解剖学的標準化する第１の変換を行うことと；
・ 前記核医学画像を、陰性テンプレートを使って解剖学的標準化する第２の変換を行うことと；
・ 前記第１の変換によって得られる第１の解剖学的標準化画像と、前記陽性テンプレートとの類似度を計算することと；
・ 前記第２の変換によって得られる第２の解剖学的標準化画像と、前記陰性テンプレートとの類似度を計算することと；
・ 前記ＲＯＩを設定すべく、前記第１の変換及び前記第２の変換のうち、前記計算される類似度が高い変換の逆変換を、ＲＯＩテンプレートに適用することと；
を含む。
【００１０】
実施形態によっては、前記陽性テンプレートは、前記放射性医薬品による核医学画像検査の対象となる疾患を有する複数の被検者の核医学画像から作成されたものであってもよい。
【００１１】
実施形態によっては、前記陰性テンプレートは、前記疾患を有しない複数の被検者の核医学画像から作成されたものであってもよい。
【００１２】
実施形態によっては、前記ＲＯＩテンプレートは、前記陽性テンプレートと前記陰性テンプレートとの差分に基づいて作成されたものであってもよい。
【００１３】
上記の方法によれば、核医学検査で実際に使用される放射性医薬品を用いて作成したテンプレートを用いてＲＯＩを設定するために、当該放射性医薬品の集積を調べるＲＯＩを、適切に設定することが可能になる。特に、上記の陽性テンプレート、陰性テンプレート、ＲＯＩテンプレートという、３種類のテンプレートを、上記のように使うことにより、ＲＯＩを適切に設定することが可能になる。
【００１４】
更に、解剖学的標準化の逆変換をＲＯＩテンプレートに適用することによって、画像検査に使用するＲＯＩの設定を行うため、検査の対象となるオリジナルの画像に対して直接にＲＯＩの設定を行うことが可能となる。従って、オリジナルの画像の画素値を変えることなしに、ＲＯＩの画素値の解析を行うことが可能となる。
【００１５】
加えて、上記の方法は、核医学画像にＲＯＩを設定するために、ＭＲＩを施行することを必要としない。従って、医療施設の設備負担や患者の検査負担を抑えることが可能である。
【００１６】
後に、上記の方法をアミロイドイメージングへ応用した時の試験データを紹介するが、上記の方法で設定されたＲＯＩは、ＭＲＩ及び既存の脳地図を用いて設定された従来法によるＲＯＩよりも、安定性や部分容積効果の観点から好ましいと思えるものである。また、上記の方法に基づいて設定したＲＯＩに基づいて、アルツハイマー病の有無の鑑別を行った結果、経験豊かな医師による視覚評価と同等の鑑別能が得られている。
【００１７】
なお、「前記第１の変換及び前記第２の変換のうち、前記計算される類似度が高い変換の逆変換を、ＲＯＩテンプレートに適用する」との処理を、「前記第１の解剖学的標準化画像と前記第２の解剖学的標準化画像とのうち、前記計算した類似度が高い方の画像にＲＯＩテンプレートを適用する」との処理に置き換えることによって、ＲＯＩの設定を行ってもよい。
【００１８】
上記の方法は、陽性テンプレート、陰性テンプレート、ＲＯＩテンプレートという３種類のテンプレートを用いることを特徴とするが、本願は、これらのテンプレートを作成する方法も開示する。好適な具現化形態において、この方法は、
・  核医学画像検査の対象となる疾患を有する複数の被検者の各々につき、放射性医薬品を投与して核医学測定を行って得られた、複数の第１の種類の核医学画像にアクセスすることと、
・  前記複数の第１の種類の核医学画像を、それぞれ解剖学的標準化及び画素値正規化を行った上で加算平均することにより、陽性テンプレートを得ることと；
・  前記疾患を有さない複数の被検者の各々につき、放射性医薬品を投与して核医学測定を行って得られた、複数の第２の種類の核医学画像にアクセスすることと、
・  前記複数の第２の種類の核医学画像を、それぞれ解剖学的標準化及び画素値正規化を行った上で加算平均することにより、陰性テンプレートを得ることと；
・  前記陽性テンプレートから所定の画素値閾値に基づいて画素を抽出したもの（例えば陽性テンプレートから所定の閾値以上の画素値を有する画素を抽出したもの）と、前記陰性テンプレートから所定の画素値閾値に基づいて画素を抽出したもの（例えば陰性テンプレートから所定の閾値以上の画素値を有する画素を抽出したもの）との差分を取ることにより、前記ＲＯＩテンプレートを得ることと、
を含む。
【００１９】
本願発明は、アルツハイマー病の鑑別診断や治療効果判定のためのアミロイドイメージングにおいて、解析の対象とする領域を、ＭＲＩを必要とすることなくＰＥＴのみで適切に設定することを目的としてなされたものである。しかしながら、結果として得られた本願発明は、この目的に限らず、核医学診断において広く用いられることができるものとなった。特に、放射性医薬品の集積パターンで疾患の有無を分類できるような分野において、生体画像の解析対象領域を設定するために、広く用いることが可能である。
【００２０】
従って、上記の方法において、「生体」とは、例えば人間の脳皮質であることができるが、それに限らず、例えば人間の線条体や海馬であることができる。
【００２１】
また、上記の方法において、「放射性医薬品」とは、例えばアミロイドイメージング用の放射性医薬品、例えば、11Cで標識したピッツバーグ化合物B （11C-PIB（[N-methyl-11C]2-(4'-methylaminophenyl)-6-hydroxybenzothiazole））や、18Fで標識した薬剤（18F-florbetapir，18F-Flutemetamolなど）であることができるが、それに限らず、例えば18F-FDOPA, 11C-Raclopride, 123I-FP-CIT, 123I-IMPであることができる。
【００２２】
また、上記の方法において、「画像検査」とは、例えばＭＲＩ検査や核医学画像検査を含むことができる。また、「核医学画像検査」とは、例えばＰＥＴ検査であることができ、例えばアミロイドの沈着を調べるアミロイドイメージング検査であることができる。「核医学画像」とは、例えばＰＥＴ画像であることができ、例えばアミロイドの沈着を画像化したアミロイドイメージング画像であることができる。「核医学画像検査」「核医学画像」とは、実施形態によっては、ＳＰＥＣＴ検査、ＳＰＥＣＴ画像であることができる。
【００２３】
更に、上記の方法において、「核医学画像検査の対象となる疾患」とは、例えばアルツハイマー病であることができるが、それに限らず、例えばレビー小体型認知症やパーキンソン病であることができる。
【００２４】
本願発明の好適な具現化形態には、上記の方法を遂行するように構成される装置や、ＣＰＵなどの処理手段に実行されると装置に上記の方法を遂行させるように構成されるコンピュータプログラムなどが含まれる。
【００２５】
現時点で好適と考えられる本願発明の具現化形態のいくつかを、特許請求の範囲に含まれる請求項に特定している。しかしこれらの請求項に特定される構成が、本願明細書及び図面に開示される新規な技術思想の全てを含むとは限らない。出願人は、現在の請求項に記載されているか否かに関わらず、本願明細書及び図面に開示される新規な技術思想の全てについて、特許を受ける権利を有することを主張するものであることを記しておく。
【図面の簡単な説明】
【００２６】
【図１】生体の画像検査のためのＲＯＩを決定するために使用するテンプレートのセットを作成するシステムのハードウェア構成を説明するための図である。
【図２】生体の画像検査のためのＲＯＩを決定するために使用するテンプレートのセットを作成する実施例の流れを説明するための図である。
【図３】陽性テンプレート及び陰性テンプレートの一例を示す図である。
【図４Ａ−４Ｃ】図４Ａは、例示的な陽性テンプレートに閾値によるカットオフ処理を加えたものを図示したものであり、図４Ｂは、例示的な陰性テンプレートに閾値によるカットオフ処理を加えたものを図示したものであり、図４Ｃは、これらの差分に基づいて作成されたＲＯＩテンプレートを図示したものである。
【図４Ｄ】紹介された実施例で作成された例示的なＲＯＩテンプレートを示す図である。
【図５】生体画像にＲＯＩを設定するシステムのハードウェア構成を説明するための図である。
【図６】生体画像にＲＯＩを設定する実施例の流れを説明するための図である。
【図７】相互相関係数の計算領域の例を説明するための図である。
【図８】実施例で決定されたＲＯＩを、例示的なアミロイドイメージングＰＥＴ画像の断面画像に重ね合わせたものの例を描いた図である。
【図９】図８と同じ断面画像に、ＭＲＩ及び解剖学的な脳地図を用いて設定したＲＯＩを重ねたものを示す図である。
【図１０】実施例で決定されたＲＯＩを用いた、アルツハイマー病の罹患可能性の大小の自動判定の結果と、経験豊富な医師による手動判断との関係を示す図である。
【実施例の詳細説明】
【００２７】
以下、添付図面を参照しつつ、好適な実施例を用いて、本願に開示される技術思想をより詳しく説明する。本願に開示される技術思想には、大きく分けて二つの側面があり、一つは生体の画像検査のためのＲＯＩを決定するために使用するテンプレートのセットを作成することに関し、もう一つは、そのテンプレートのセットを用いて、生体の画像検査のためにＲＯＩを設定することに関する。まずは前者の側面から説明する。
【００２８】
図１は、上記のテンプレートセットを作成するハードウェアの例である、システム１００の主な構成を説明するための図である。図１に描かれるように、システム１００は、ハードウェア的には一般的なコンピュータと同様であり、ＣＰＵ１０２，主記憶装置１０４，大容量記憶装置１０６，ディスプレイ・インターフェース１０７，周辺機器インタフェース１０８，ネットワーク・インターフェース１０９などを備えることができる。一般的なコンピュータと同様に、主記憶装置１０４としては高速なＲＡＭ（ランダムアクセスメモリ）を使用することができ、大容量記憶装置１０６としては、安価で大容量のハードディスクやＳＳＤなどを用いることができる。システム１００には、情報表示のためのディスプレイを接続することができ、これはディスプレイ・インターフェース１０７を介して接続される。またシステム１００には、キーボードやマウス、タッチパネルのようなユーザインタフェースを接続することができ、これは周辺機器インタフェース１０８を介して接続される。ネットワーク・インターフェース１０９は、ネットワークを介して他のコンピュータやインターネットに接続するために用いられることができる。
【００２９】
大容量記憶装置１０６には、オペレーティングシステム（ＯＳ）１１０や、上記のテンプレートセットを作成するための命令を備えるプログラム１２０，１２６、これらのプログラムによって使用されるＭＲＩテンプレート１２２，脳地図データ１２４などが格納されていることができる。システム１００の最も基本的な機能は、ＯＳ１１０がＣＰＵ１０２に実行されることにより提供される。また、上記のテンプレートセットを作成するための特徴的な処理は、プログラム１２０，１２６に含まれるプログラム命令群の少なくとも一部がＣＰＵ１０２に実行されることにより提供される。よく知られているように、プログラムの実装形態には様々なものがあり、それらのバリエーションは全て、本願で開示される発明の範囲に含まれるものである。
【００３０】
大容量記憶装置１０６にはさらに、上記のテンプレートセットを作成するために使用されるＰＥＴ画像データ１３１ａ，１３２ａ，...，１４１ａ，１４２ａ，...や、対応するＭＲＩ画像データ１３１ｂ，１３２ｂ，...，１４１ｂ，１４２ｂ，...、上記のテンプレートセットに含まれる陽性テンプレート１５０ａ、陰性テンプレート１５０ｂ、ＲＯＩテンプレート１５０ｃなども格納されていることができる。
【００３１】
システム１００は、図１に描かれた要素の他にも、電源や冷却装置など通常のコンピュータシステムが備える装置と同様の構成を備えることができる。コンピュータシステムの実装形態には、記憶装置の分散・冗長化や仮想化、複数ＣＰＵの利用、ＣＰＵ仮想化、ＤＳＰなど特定処理に特化したプロセッサの使用、特定の処理をハードウェア化してＣＰＵに組み合わせることなど、様々な技術を利用した様々な形態のものが知られている。本願で開示される発明は、どのような形態のコンピュータシステム上に搭載されてもよく、コンピュータシステムの形態によってその範囲が限定されることはない。本明細書に開示される技術思想は、一般的に、（１）処理手段に実行されることにより、当該処理手段を備える装置またはシステムに、本明細書で説明される各種の処理を遂行させるように構成される命令を備えるプログラム、（２）当該処理手段が当該プログラムを実行することにより実現される装置またはシステムの動作方法、（３）当該プログラム及び当該プログラムを実行するように構成される処理手段を備える装置またはシステムなどとして具現化されることができる。前述のように、ソフトウェア処理の一部はハードウェア化される場合もある。
【００３２】
また、システム１００の製造販売時や起動時には、データ１３１ａ，１３２ａ，１３１ｂ，１３２ｂ等は、大容量記憶装置１０６の中に記憶されていない場合が多いことに注意されたい。これらのデータは、例えば周辺機器インタフェース１０８やネットワーク・インターフェース１０９を介して外部の装置からシステム１００に転送されるデータであってもよい。実施形態によっては、データ（テンプレート）１５０ａ〜１５０ｃは、プログラム１２０，１２６がＣＰＵ１０２に実行されることを通じて形成されたものであってもよい。また、プログラム１２０，１２６やＯＳ１１０の実装形態によっては、ＰＥＴ画像データやＭＲＩ画像データ、テンプレート等の少なくともいずれかは、大容量記憶装置１０６に格納されず、主記憶装置１０４にしか格納されない場合もある。本願で開示される発明の範囲は、これらのデータの存在の有無によって限定されるものではないことを、念のために記しておく。
【００３３】
次に、図２のフローチャートを用いて、生体の画像検査のためのＲＯＩを決定するために使用するテンプレートのセットを作成する方法２００の流れを説明する。このテンプレートセットは、当該画像検査の対象となる疾患を有する複数の被検者の核医学画像データから作成された陽性テンプレートと、当該疾患を有さない複数の被検者の核医学画像データから作成された陰性テンプレートと、画像検査に使用するＲＯＩのテンプレートであるＲＯＩテンプレートとの３つのテンプレートからなる。一例であるが、方法２００で作成されるテンプレートセットは、アルツハイマー病の鑑別や治療効果判定の目的で施行される、アミロイドイメージング検査のために使用されるものであってもよい。このテンプレートセットは、例えば、アミロイドイメージング画像上に、検査で分析されるべき適切なＲＯＩを自動的に設定することを可能とする。
【００３４】
ステップ２０２は方法２００の開始を示す。ステップ２０４では、テンプレートの元になるデータの収集を行う。ここでは、アルツハイマー病を罹患していないことが判明している被検者と、アルツハイマー病に罹患していることが判明している被検者とをそれぞれ複数人集める。特定の個人のデータに結果が引きずられないように、アルツハイマー病に罹患している被検者もしていない被検者も、なるべく多くの人数を集めることが好ましい。そして、これらの被検者それぞれについて、アミロイドイメージングに使用する放射性医薬品（例えば11C-PiBや、18F-Flutemetamol等）を用いてＰＥＴを施行し、ＰＥＴ画像を作成する。併せて、これらの被検者それぞれについて、ＭＲＩを施行してＭＲＩ画像を作成する。作成した画像データは適切な記憶手段に格納しておく。
【００３５】
本例では、作成したＰＥＴ画像データ及びＭＲＩ画像データを補助記憶装置１０６に格納しておくこととしている。図１において、符号１３１ａ及び１３１ｂは、それぞれ、一番目のＡＤ被検者（アルツハイマー病に罹患している被検者）のＰＥＴ画像データ及びＭＲＩ画像データを表し、１３２ａ及び１３２ｂは、それぞれ二番目のＡＤ被検者のＰＥＴ画像データ及びＭＲＩ画像データを表し、１３３ａ及び１３３ｂは、それぞれ三番目のＡＤ被検者のＰＥＴ画像データ及びＭＲＩ画像データを表している。また、符号１４１ａ及び１４１ｂは、それぞれ、一番目の非ＡＤ被検者（アルツハイマー病に罹患していない被検者）のＰＥＴ画像データ及びＭＲＩ画像データを表し、１４２ａ及び１４２ｂは、それぞれ二番目の非ＡＤ被検者のＰＥＴ画像データ及びＭＲＩ画像データを表し、１４３ａ及び１４３ｂは、それぞれ三番目の非ＡＤ被検者のＰＥＴ画像データ及びＭＲＩ画像データを表している。図１には、ＡＤ被検者、非ＡＤ被検者、それぞれ３人分のＰＥＴ画像データ及びＭＲＩ画像データしか描かれていないが、実際にテンプレートを作成する場合は、もっと多くの被検者を用いてもよく、また、その方が好ましい。これは、被検者の数（すなわちデータの数）が少ないと、最終的に作成されるテンプレートにおいて、特定の被検者のデータの影響が強くなりすぎるからである。
【００３６】
符号２０６−２１６で表されるループでは、ステップ２０４でデータ収集を行った被検者のＰＥＴ画像データ及びＭＲＩ画像データに対して、ステップ２０８−２１４の処理を行う。ステップ２０８−２１４の処理の目的は、ステップ２０４でデータ収集を行った全ての被検者のＰＥＴ画像データを、それらの位置や形状、サイズが一致するように移動・変形することであり、それによって、ステップ２１８で、これらのＰＥＴ画像データの加算平均を行えるようにすることである。ループ２０６−２１６の繰り返しの各回において、異なる被検者の画像データが処理され、ステップ２０４でデータ収集を行った全部の被検者のデータの処理が終わると、ループを抜ける。実施形態によっては、ループ２０６−２１６の処理は、陽性・陰性テンプレート作成プログラム１２０（図１参照）に含まれるプログラム命令の少なくとも一部がＣＰＵ１０２に実行されることにより、装置１００が遂行する処理である。ステップ２１８の処理についても同様である。
【００３７】
ステップ２０８では、特定の被検者のＭＲＩ画像データ（以下、例として画像データ１３１ｂとする）を、適当なＭＲＩテンプレートに一致するよう解剖学的標準化する。すなわち、当該ＭＲＩ画像データの位置や形状、サイズを、当該ＭＲＩテンプレートに一致するように移動・変形する。このＭＲＩテンプレートとして、例えば、本願の技術分野でしばしば用いられるMNI(Montreal Neurological Institute) T1テンプレートを用いてもよい。この解剖学的標準化処理を行うために、ＣＰＵ１０２は、陽性・陰性テンプレート作成プログラム１２０のプログラム命令の少なくとも一部に従い、補助記憶装置１０６からMNI T1テンプレートであるＭＲＩテンプレート１２２をロードしてもよい。また、この標準化処理を行うことのできるプログラムは既に入手可能であり、例えばＰＭＯＤ（PMOD Technologies Ltd製）やＳＰＭ（http://www.fil.ion.ucl.ac.uk/spm/）のようなプログラムを使うことが可能である。実施形態によっては、陽性・陰性テンプレート作成プログラム１２０は、このような既存のプログラムを利用して作られてもよい。標準化処理が成功すると、プログラム１２０のプログラム命令の少なくとも一部は、画像データ１３１ｂの標準化に要した変換情報を記憶するように、ＣＰＵ１０２を動作させる。これらの変換情報は、多くの場合マトリクスの形式で表すことができ、データ１３１ｂの回転角度や局所的な移動量等の情報を含むデータであることができる。
【００３８】
ステップ２１０では、ステップ２０８で処理されたＭＲＩ画像データに対応するＰＥＴ画像データの、当該ＭＲＩ画像データへのレジストレーション（画像の位置合わせ）が行われる。すなわち、例えばステップ２０８で処理されたＭＲＩ画像データが図１の画像データ１３１ｂであった場合、ＰＥＴ画像データ１３１ａについて、これを画像データ１３１ｂにレジストレーションする。すなわち、ＰＥＴ画像データ１３１ａを、その位置や形状、サイズがＭＲＩ画像データ１３１ｂに一致するように移動する。このようなレジストレーションを行うことのできるプログラムも既に入手可能であり、例えば上記のＰＭＯＤやＳＰＭのようなプログラムを使うことが可能である。実施形態によっては、陽性・陰性テンプレート作成プログラム１２０は、このような既存のプログラムを利用して作られてもよい。
【００３９】
ステップ２１２では、ステップ２１０でＭＲＩ画像にレジストレーションされたＰＥＴ画像データ（例えば画像データ１３１ａ）に対して、ステップ２０８で得られた解剖学的標準化のための変換情報（例えばマトリクス）を適用する。それによって、ＰＥＴ画像データ（例えば画像データ１３１ａ）に示される生体画像の位置や形状、サイズが、ＭＲＩテンプレート１２２に示される生体画像に合致したものとなる。
【００４０】
ステップ２１４では、ステップ２１２で変換されたＰＥＴ画像データの画素値を正規化する。この正規化処理を行うために、ＣＰＵ１０２は、陽性・陰性テンプレート作成プログラム１２０のプログラム命令の少なくとも一部に従い、補助記憶装置１０６から脳地図データ１２４をロードし、それを使って、ステップ２１２で解剖学的標準化されたＰＥＴ画像データから正規化の基準となる領域を抽出する。この処理で用いる脳地図データとしては、本願の技術分野で一般的に使用されている脳地図データを使うことができ、例えば、AAL（Automatic-anatomical-labeling） ROIを使うことができる。この脳地図データ１２４とMRIテンプレート１２２との位置・形状合わせは、予めなされていることが好ましい。アミロイドイメージングの場合、正規化の基準とする領域としては、例えば小脳であることができる。これは、アミロイドイメージングに用いられる放射性医薬品については、小脳への集積量が、アルツハイマー病の有無にあまり依存しないからである。同様の理由で、橋を基準領域としてもよい。
【００４１】
小脳を基準領域として用いる場合、脳地図データ１２４において小脳に対応する領域と同じ領域の画素群を、ステップ２１２で解剖学的標準化されたＰＥＴ画像データから抽出し、その画素群の画素値の平均値を算出する。そしてこの平均値で、ＰＥＴ画像データの各画素の画素値を割ることで、正規化を行う。なお、このような処理によって正規化された画素値は、本願の技術分野で一般的に、ＳＵＶ（Standardized Uptake Value）またはＳＵＶＲ（Standardized Uptake Value Ratio）と称される。
【００４２】
符号２０６−２１６で表されるループを抜けると、このループで処理された全てのＰＥＴ画像データの生体画像の位置や形状、サイズが揃えられ、また各画素値がＳＵＶＲ化されている。
【００４３】
ステップ２１８では、上記のループで処理された全てのＰＥＴ画像データのうち、ＡＤ被検者由来のもの全てについて、加算平均を行う。これによって、前述の陽性テンプレートが作成される。また、符号２０６−２１６で表されるループで処理された全てのＰＥＴ画像データのうち、非ＡＤ被検者由来のもの全てについても加算平均を行う。これによって、前述の陰性テンプレートが作成される。これらのテンプレートは、陽性テンプレート１５０ａ、陰性テンプレート１５０ｂとして、それぞれ補助記憶装置１０６に保存されてもよい。
【００４４】
図３に、作成した陽性テンプレート及び陰性テンプレートの一例を示す。この陽性テンプレートは１１人のＡＤ被検者のアミロイドイメージング画像を用いて作成され、陰性テンプレートは８人の非ＡＤ被検者のアミロイドイメージング画像を用いて作成されたものである。
【００４５】
ステップ２２０では、前のステップで作成した陽性テンプレートと陰性テンプレートとの差分を取ることにより、前述のＲＯＩテンプレートを作成する。実施形態によっては、ステップ２２０の処理は、ＲＯＩテンプレート作成プログラム１２６（図１参照）に含まれるプログラム命令の少なくとも一部がＣＰＵ１０２に実行されることにより、装置１００が遂行する処理であってもよい。作成されたＲＯＩテンプレートは、ＲＯＩテンプレート１５０ｃとして、それぞれ補助記憶装置１０６に保存されてもよい。
【００４６】
実施形態によっては、陽性テンプレートと陰性テンプレートとの単なる差分を取るのではなく、これらのテンプレートに次のような処理を加えてから、差分を取ってもよい。まず、陽性テンプレートにつき、画素値（ＳＵＶＲ）が所定の閾値以上である画素のみを残し、その他の画素は全て画素値０またはＮＵＬＬとしてしまう。陽性テンプレートにこのような処理を加えたデータを画像化したものの例の一部を図４Ａに示す。同様に、陰性テンプレートについても、画素値（ＳＵＶＲ）が所定の閾値以上である画素のみを残し、その他の画素は全て画素値０またはＮＵＬＬとしてしまう。陰性テンプレートにこのような処理を加えたデータを画像化したものの例の一部を図４Ｂに示す。最後に、これらのデータの差分を取り、さらに一定の閾値以上の画素値を有する画素によって形成されるクラスターの輪郭を抽出し、ＲＯＩテンプレートとする。このような処理によって作成されたＲＯＩテンプレートの例の一部を図４Ｃに示す。なお、好ましい態様において、陽性テンプレートと陰性テンプレートのそれぞれにつき、上記処理（閾値によるカットオフ処理）にて残った画素の画素値を、全て同じ値とする。この様な処理を行う事により、陽性テンプレートと陰性テンプレートとの間で画素値の重なった部分は必ず０の値となり、より良好なＲＯＩテンプレートを作成する事ができる。
【００４７】
本願発明者は、上記のように、ＳＵＶＲが一定以上のである画素を使ってＲＯＩテンプレートを作成することが、核医学画像の定量化分析に好影響を与えることを見出した。また本願発明者は、この閾値として、アミロイドイメージングの場合、陽性テンプレート、陰性テンプレートとも、１．７程度が好適であることも見出した。ただしこの閾値は固定的なものではなく、陽性テンプレートと陰性テンプレートとで別の閾値をもちいてもよい。最適な閾値は、使用する放射性医薬品や核医学画像化装置の違いに依存して変化する可能性があるので、個々の施設で最適な値を探索してもよい。
【００４８】
図４Ｄにステップ２２０により作成されたＲＯＩテンプレートの一例を示す。各断面画像上に黒の実線で囲まれた領域が、当該断面画像上のＲＯＩを表している。このＲＯＩテンプレートは、図３に例示された陽性テンプレート及び陰性テンプレートに、図４Ａ，図４Ｂを用いて説明した上述のカットオフ処理を適用して差分を取り、作成したものである。
【００４９】
このＲＯＩテンプレートは、アミロイドイメージング検査で実際に使用される放射性医薬品を用いて得られたアミロイドイメージング画像を使って作成されたテンプレートであるために、アミロイドイメージング画像に対してこのテンプレートで設定されたＲＯＩは、解剖学的な脳地図を用いて設定される従来のＲＯＩよりも、アミロイド蓄積の様子を直接的に反映していると考えられる。また、ＰＥＴ画像を用いて作成したテンプレートであるので、ＰＥＴ装置による放射線の検出のされ方が反映されていると考えられる。この点、解剖学的な脳地図を用いて設定される従来のＲＯＩは、放射線の検出のされ方が何ら考慮されていない。これらの事情により、アミロイドイメージング検査において、上記のＲＯＩテンプレートを用いてＲＯＩを設定する場合、解剖学的な脳地図を用いて設定する従来の方法よりも、より適切なＲＯＩを設定することが可能になる。
【００５０】
また、上記のＲＯＩテンプレートが、解剖学的な脳地図を用いた従来のテンプレートよりも、アミロイド蓄積の様子を直接的に反映していることを考慮すれば、このＲＯＩテンプレートを用いて、ＭＲＩ画像上にＲＯＩを設定することも有用であろう。なぜなら、アミロイド蓄積に異常が存在するかもしれない領域を特定して、その形態の変化を観察することが可能となるからである。従って、本願発明によるＲＯＩテンプレートは、核医学画像検査におけるＲＯＩ設定に有用であるのみならず、ＭＲＩやＣＴのような形態画像検査にも有用である。
【００５１】
上記のＲＯＩテンプレートは、ＰｉＢ画像を例にとって作成されたものであるが、同様のＲＯＩテンプレートを、他の放射性医薬品を使った核医学画像についても作成することができる。特に、放射性医薬品の集積パターンが疾患の有無で明確に異なり、かつ、疾患の有無で集積パターンが変化しない領域を有する場合には、同様のＲＯＩテンプレートを作成する事ができる。そのようなＲＯＩテンプレートは、放射性医薬品の蓄積の様子に直接的に基づくＲＯＩを設定することを可能とし、また、核医学検査装置の放射線検出のありかたが考慮されたＲＯＩを設定することを可能とするため、単に解剖学的な脳地図を用いてＲＯＩを設定する従来法に比べて、より適切なＲＯＩを設定することを可能とする。
【００５２】
ところで、方法２００で作成された他の二つのテンプレートである陽性テンプレート及び陰性テンプレートが何に使われるかを説明していない。これらは、ＲＯＩテンプレートを使って個別の生体画像にＲＯＩを設定する際に、利用することのできるテンプレートである。以下、本願に開示される技術思想の第二の側面である、生体画像にＲＯＩを設定する手法について説明するが、その中で、陽性テンプレート及び陰性テンプレートの使われ方も説明される。
【００５３】
以下、図５以降を用いて、本願に開示される技術思想の第二の側面である、生体画像にＲＯＩを設定する手法について説明する。図５は、生体画像にＲＯＩを設定する処理を遂行するハードウェアの例である、システム５００の主な構成を説明するための図である。図示されるように、システム５００のハードウェア的な構成は、図１に例示したシステム１００と同様であり、すなわち一般的なコンピュータと同様である。従って、システム１００と同じ要素については同じ符号を付し、説明を省略する。
【００５４】
システム１００とは異なるシステム５００の特徴の一つは、システム５００が、ＲＯＩ設定プログラム５２０を有する点である。ＲＯＩ設定プログラム５２０は、ＣＰＵ１０２に実行されることによりシステム５００に後述の処理を遂行させるプログラム命令を備える。システム５００の別の特徴に、陽性テンプレート１５０ａ、陰性テンプレート１５０ｂ、ＲＯＩテンプレート１５０ｃの三つのテンプレートを有していることである。これら三つのテンプレートは、図２で例示した処理によって作成されたものであってよい。実施形態によっては、プログラム５２０やテンプレート１５０ａ〜１５０ｃは、補助記憶装置１０６に保存されてもよい。実施形態によっては、これらのプログラムやテンプレートは、システム５００とネットワーク等で接続された外部機器に格納されていてもよい。
【００５５】
ＲＯＩ設定プログラム５２０は、ＣＰＵ１０２に実行されることにより、生体画像データ５３０にＲＯＩを設定する処理をシステム５００に遂行させるように構成される。生体画像データ５３０は、例えば、アミロイドイメージングのために作成されたＰＥＴ画像であることができる。すなわち、例えば、11C-PIBや18F-Flutemetamolのような放射性医薬品を被検者に投与してＰＥＴを施行し、得られた画像データであってもよい。画像データ５３０は、図５に例示されるように、例えば補助記憶装置１０６に保存されてもよいし、システム５００とネットワーク等で接続された外部機器に格納されていてもよい。
【００５６】
図６を用いて、ＲＯＩ設定プログラム５２０がＣＰＵ１０２に実行されることにより、システム５００が遂行する処理６００の流れを説明する。ステップ６０２は処理の開始を表す。ステップ６０４では、陽性テンプレート１５０ａ、陰性テンプレート１５０ｂ、ＲＯＩテンプレート１５０ｃ、ＰＥＴ画像データ５３０がロードされる。すなわち、これらのデータが補助記憶装置１０６から主記憶装置１０４にコピーされる。ステップ６０６では、ＰＥＴ画像データ５３０を、陽性テンプレート１５０ａ及び陰性テンプレート１５０ｂのそれぞれに対して、解剖学的標準化する。すなわち、ＰＥＴ画像データ５３０に表示されている頭部画像の形状を、陽性テンプレート１５０ａまたは陰性テンプレート１５０ｂの形状に合致するように変形させる。前述のように、このような解剖学的標準化処理を行うことのできるプログラムは既に入手可能であり、例えば前述のＰＭＯＤやＳＰＭのようなプログラムを使うことが可能である。
【００５７】
ステップ６０８では、ステップ６０６における解剖学的標準化処理後の画像データ及び変換データを、続く処理のために格納する。図５には、画像データ５３０を陽性テンプレート１５０ａに対して解剖学的標準化した画像データが、画像データ５３０ａとして例示されている。また、画像データ５３０を画像データ５３０ａに変換するためのデータが、変換データ５４０ａとして例示されている。このような変換データは、例えばマトリクスとして表すことができる。同様に図５には、画像データ５３０を陰性テンプレート１５０ｂに対して解剖学的標準化した画像データが、画像データ５３０ｂとして例示されている。また、画像データ５３０を画像データ５３０ｂに変換するためのデータ（例えば変換マトリクス）が、変換データ５４０ｂとして例示されている。なお、画像データ５３０ａや５３０ｂ、変換データ５４０ａや５４０ｂは、補助記憶装置１０６に格納されているように例示されているが、実際の実施例の場合には、主記憶装置１０４に格納される場合が多いかもしれない。
【００５８】
ステップ６１０では、陽性テンプレート１５０ａを使用して解剖学的標準化した画像データ５３０ａと、当該陽性テンプレート１５０ａとの間の類似度が計算される。また、陰性テンプレート１５０ｂを使用して解剖学的標準化した画像データ５３０ｂと、当該陰性テンプレート１５０ｂとの間の類似度も計算される。この類似度は、例えば相互相関係数であることができる。例えば、画像データ５３０ａと陽性テンプレート１５０ａとの相互相関係数ｒは、次のように計算することができる。
ここでＡｍｎは画像データ５３０ａの画素ｍｎの画素値を表し、Ｂｍｎは陽性テンプレート１５０ａの画素ｍｎの画素値を表す。オーバーラインが付されたＡは、相互相関係数が計算される範囲における画像データ５３０ａの画素値平均を表し、オーバーラインが付されたＢは、相互相関係数が計算される範囲における陽性テンプレート１５０ａの画素値平均を表す。
【００５９】
相互相関係数ｒを計算する範囲は、画像データ５３０ａの全範囲でも良いが、実施形態によっては、その一部の範囲だけで計算してもよい。例えば、図７に描かれるように、小脳の上から頭頂葉までの範囲で相互相関係数を計算することとしてもよい。また、本願発明者が見いだしたところによれば、画像データ５３０aの全範囲を用いるよりも、小脳の上から頭頂葉までの範囲で相互相関係数を計算した方が、最終的なＲＯＩの決定に好影響を及ぼすことを見出した。しかし、相互相関係数を計算する範囲は小脳の上から頭頂葉までの範囲に限定されず、その他の範囲を用いても構わない。
【００６０】
画像データ５３０ｂと陰性テンプレート１５０ｂとの相互相関係数も、同様にして計算することができる。
【００６１】
ステップ６１２では、ステップ６１０で計算した２つの相互相関係数のうち、どちらの値が高かったかが判定される。そして、陽性テンプレート１５０ａ及び陰性テンプレート１５０ｂのうち、相互相関係数の値が高かった方のテンプレートに関して、ステップ６０８でなされた変換の逆変換を、ＲＯＩテンプレート１５０ｃに適用する。これによって、画像データ５３０に適用されるＲＯＩが決定される。
【００６２】
すなわち、例えば、ステップ６１０で計算した２つの相互相関係数のうち、画像データ５３０ａと陽性テンプレート１５０ａとの間で計算した相互相関係数が高い場合は、ステップ６１２において、ステップ６０８で格納された変換データ５４０ａ及び５４０ｂのうち、画像データ５３０を陽性テンプレートに解剖学的標準化したときの変換データである変換データ５４０ａが選択される。そして、この変換データ５４０ａに基づいて、画像データ５３０を画像データ５３０ａに解剖学的標準化したときの逆変換が求められる。そしてこの逆変換が、ＲＯＩテンプレート１５０ｃに適用される。
【００６３】
逆に、例えば、ステップ６１０で計算した２つの相互相関係数のうち、画像データ５３０ｂと陰性テンプレート１５０ｂとの間で計算した相互相関係数が高い場合は、ステップ６１２において、画像データ５３０を陰性テンプレートに解剖学的標準化したときの変換データである変換データ５４０ｂが選択される。そして、この変換データ５４０ｂに基づいて、画像データ５３０を画像データ５３０ｂに解剖学的標準化したときの逆変換が求められる。そしてこの逆変換が、ＲＯＩテンプレート１５０ｃに適用される。
【００６４】
この逆変換が適用されるため、ＲＯＩテンプレートの形状は、画像データ５３０中の脳形状に合致するように変形されている。従って、この変形されたＲＯＩテンプレートを用いれば、画像データ５３０を変形することなく、その上にＲＯＩを設定することができる。このように変形されたＲＯＩテンプレート１５０ｃを、ＲＯＩ情報５５０として格納してもよい（ステップ６１４）。
【００６５】
上記の処理で決定されたＲＯＩを、例示的なアミロイドイメージングＰＥＴ画像の断面画像に重ね合わせたものの例を、図８に示した。黒の実線で囲まれている領域が、決定されたＲＯＩである。
【００６６】
従来技術との比較のために、図９に、図８と同じ断面画像に、ＭＲＩ及び解剖学的な脳地図を用いて設定したＲＯＩを重ねたものを示した。図９においても、黒の実線で囲まれている領域がＲＯＩである。上述の実施形態で設定された図８のＲＯＩと従来技術による図９のＲＯＩとを比べると、例えば視覚野付近でＲＯＩとして抽出されている領域が異なるなど、両者はかなり異なっている。また、従来技術による図９のＲＯＩは、頭皮または骨にもＲＯＩが設定されるなど、明らかにエラーと思われるＲＯＩも存在する。これらの相違は、上述の実施形態で設定されたＲＯＩが、実際の核医学画像を用いて決定されたＲＯＩであるのに対し、従来技術により設定されるＲＯＩは、解剖学的な知見により決定されたものに過ぎないことから生じたものであると考えられる。すなわち、従来技術により設定されるＲＯＩは、核医学的な所見が含まれていないために、上記のエラーが生じているものと考えられる。無論、核医学画像にＲＯＩを設定するにおいては、本願の実施形態で設定されたＲＯＩの方が好ましいのは言うまでもない。
【００６７】
また、従来技術によるＲＯＩは、本願の実施形態で設定されたＲＯＩよりも必要以上に詳細な構造を有しており、ＲＯＩ内の画像解析に多くの計算資源を必要とするだけでなく、部分容積効果も大きくならざるを得ないと思われる。このような不利益が生じるのは、従来技術によるＲＯＩが、核医学画像化装置による放射線の検出のされ方を考慮せずに設定されるからであると思われる。本願の実施形態で設定されるＲＯＩの方が、従来技術により設定されるものよりも好ましいと言える。
【００６８】
以下はオプションの処理の説明となる。図６のステップ６１６では、ステップ６１２で設定したＲＯＩを、解析対象の画像データ５３０の任意の断面に重ねて表示してもよい。また、ステップ６１８では、設定したＲＯＩに基づいて何らかの解析を行ってもよい。例えば、ＲＯＩ内の画素の画素値の積算値や平均値を算出し、表示・出力してもよい。画像データ５３０について、特定の基準領域（例えば小脳）のＲＯＩ内の画素の画素値の平均値で画像データの各画素の画素値を割ることで、ＲＯＩ内の平均ＳＵＶＲ値が算出し、さらに例えば、この値に基づいて、解析対象の画像データ５３０が作成された被検者に、ＡＤが存在するか否かを自動的に判定してもよい。ステップ６２０は処理の終了を示す。
【００６９】
本願の手法により設定されるＲＯＩによる、ＡＤ鑑別能をテストするため、ＡＤ，非ＡＤ合わせて３４例のアミロイドイメージング画像について、本願の手法によりＲＯＩを設定し、ＲＯＩ内の平均ＳＵＶＲを算出した。結果を図１０に示す。図１０に示されるように、ＳＵＶＲの閾値を１．７とすると、経験を積んだ医師の視覚評価と同等の精度で、ＡＤ画像（アルツハイマーを発症していると思われる被検者の画像）と非ＡＤ画像（アルツハイマーを発症していないと思われる被検者の画像）とを鑑別することができた。
【００７０】
本願に開示される技術思想によれば、生体の画像検査のためのＲＯＩを、ＭＲＩ画像なしに設定することが可能となるため、医療機関及び患者の両方にとって、負担の少ない検査が可能となる。また、解剖学的な情報ではなく機能的な情報に基づいてＲＯＩが設定されるため、特に機能検査においては従来技術により設定されるものよりも好適なＲＯＩを設定することが可能となる。更に、原画像上にＲＯＩを設定することが可能であるため、原画像の画素値を変更することなく解析を行うことが可能となる。本願に開示される技術思想は、様々な医療画像化装置に使用されることができ、また、画質や分解能にも影響を受けずに使用することができる。
【００７１】
以上、好適な実施例を用いて本願発明を詳しく説明してきたが、上記の説明や添付図面は、本願発明の範囲を限定する意図で提示されたものではなく、むしろ、法の要請を満たすために提示されたものである。本願発明の実施形態には、ここで紹介されたもの以外にも、様々なバリエーションが存在する。例えば、明細書又は図面に示される各種の数値もいずれも例示であり、これらの数値は発明の範囲を限定する意図で提示されたものではない。  明細書又は図面に紹介した各種の実施例に含まれている個々の特徴は、その特徴が含まれることが直接記載されている実施例と共にしか使用できないものではなく、ここで説明された他の実施例や説明されていない各種の具現化例においても、組み合わせて使用可能である。特にフローチャートで紹介された処理の順番は、紹介された順番で実行しなければならないわけではなく、実施者の好みや必要性に応じて、順序を入れ替えたり並列的に同時実行したり、さらに複数のブロックを一体不可分に実装したり、適当なループとして実行したりするように実装してもよい。これらのバリエーションは、全て、本願で開示される発明の範囲に含まれるものであり、処理の実装形態によって発明の範囲が限定されることはない。請求項に特定される処理の記載順も、処理の必須の順番を特定しているわけではなく、例えば処理の順番が異なる実施形態や、ループを含んで処理が実行されるような実施形態なども、請求項に係る発明の範囲に含まれるものである。現在の特許請求の範囲で特許請求がなされているか否かに関わらず、出願人は、発明の思想を逸脱しない全ての形態について、特許を受ける権利を有することを主張するものであることを記しておく。
【符号の説明】
【００７２】
１００    システム
１０２    ＣＰＵ
１０４    主記憶装置
１０６    補助記憶装置
１０７    ディスプレイ・インターフェース
１０８    周辺機器インタフェース
１０９    ネットワーク・インターフェース
１２０    陽性・陰性テンプレート作成プログラム
１２６    テンプレート作成プログラム
５２０    設定プログラム
５３０    生体画像データ
【図１】
0006703323.tif 000002
【図２】
0006703323.tif 000003
【図３】
0006703323.tif 000004
【図４Ａ−４Ｃ】
0006703323.tif 000005
【図４Ｄ】
0006703323.tif 000006
【図５】
0006703323.tif 000007
【図６】
0006703323.tif 000008
【図７】
0006703323.tif 000009
【図８】
0006703323.tif 000010
【図９】
0006703323.tif 000011
【図１０】
0006703323.tif 000012